(57)【要約】【課題】特殊な撮影効果を得ることができる画像撮影装置を提供する。【解決手段】使用者を含む被写体２を撮影してその撮影画像をプリントする画像撮影装置であって、撮影領域に存在する被写体２を撮影して撮影画像を生成するカメラ６と、撮影画像を被写体に対して表示するディスプレイ１７と、撮影画像をプリント出力するプリンタ９とを備え、上記被写体２とカメラ６との間に、撮影範囲２５内に被写体２を露出させることができる開口部２３が形成された仕切スクリーン２２を設けたことにより、開口部２３から露出した被写体２の部分を仕切スクリーン２２とともに撮影することにより、被写体２の前景として仕切スクリーン２２や開口部２３が写り込み、従来は不可能であった特殊な撮影結果を得ることができる。【選択図】図１
2004048651.tif 000002
【特許請求の範囲】
【請求項１】
撮影領域に存在する被写体を撮影して撮影画像を生成するカメラと、撮影画像を被写体に対して表示するディスプレイと、撮影画像をプリント出力するプリンタとを備え、使用者を含む被写体を撮影してその撮影画像等をプリントする画像撮影装置であって、
上記撮影領域に存在する被写体とカメラとの間に、カメラの撮影範囲内に被写体を露出させることができる開口部が形成されるとともに、カメラ側面に画像合成のために適当な着色が施された仕切スクリーンが設けられ、
上記仕切スクリーンの開口部から露出された被写体の身体の一部を開口部や仕切スクリーンとともに撮影した撮影画像に被写体の前景として写り込んだ仕切スクリーンの部分に第２画像を合成して合成画像を生成する画像合成手段とをさらに備えたことを特徴とする画像撮影装置。
【請求項２】
上記撮影画像を表示して、使用者の操作による上記第２画像の入力を受け付ける第２画像受付手段を備える請求項１記載の画像撮影装置。
【請求項３】
上記仕切スクリーンよりも被写体側の被写体のバックとなる領域にバックスクリーンが設けられている請求項１または２記載の画像撮影装置。
【請求項４】
上記バックスクリーンに、仕切スクリーンのカメラ側面に施された着色とは異なる着色が施されている請求項３記載の画像撮影装置。
【請求項５】
カメラによる撮影時に被写体を照明する照明手段が、上記仕切スクリーンよりもカメラ側に配置されている請求項１〜４のいずれか一項に記載の画像撮影装置。
【請求項６】
上記カメラによる撮影動作の操作入力を行うコントローラーが、上記仕切スクリーンよりも被写体側に配置されている請求項１〜５のいずれか一項に記載の画像撮影装置。
【請求項７】
撮影操作等の案内情報を音声出力する音声出力装置が、上記仕切スクリーンよりも被写体側に配置されている請求項１〜６のいずれか一項に記載の画像撮影装置。
【請求項８】
上記仕切スクリーンが、カメラの撮影範囲をカバーする大きさに設定されている請求項１〜７のいずれか一項に記載の画像撮影装置。
【請求項９】
上記仕切スクリーンが複数種類備えられて使用者により変更可能になっている請求項１〜８のいずれか一項に記載の画像撮影装置。
【請求項１０】
上記仕切スクリーンに開口部が複数設けられるとともに、カメラによる撮影範囲の切り替えにより撮影する開口部を変更可能になっている請求項１〜８のいずれか一項に記載の画像撮影装置。
【請求項１１】
上記仕切スクリーンに開口部が複数設けられるとともに、使用しない開口部を覆うカバー部材を備えている請求項１〜８のいずれか一項に記載の画像撮影装置。
【請求項１２】
上記仕切スクリーンの開口部を覆うカバー部材を備え、仕切スクリーンの前での撮影と後での撮影とが可能となっている請求項１〜１１のいずれか一項に記載の画像撮影装置。
【請求項１３】
第２画像受付手段が、仕切スクリーンの前で撮影した撮影画像に対する第２画像の入力を受け付けるものと、仕切スクリーンの後で撮影した撮影画像に対する第２画像の入力を受け付けるものとの２つ設けられている請求項１２記載の画像撮影装置。
【請求項１４】
仕切スクリーンより被写体側の開口部近傍に、撮影の際に被写体が姿勢を支持するための姿勢支持部材が設けられている請求項１〜１３のいずれか一項に記載の画像撮影装置。
【請求項１５】
上記仕切スクリーンが伸縮可能な幕状部材から形成され、開口部が拡大縮小可能に構成されている請求項１〜１４のいずれか一項に記載の画像撮影装置。
【請求項１６】
上記仕切スクリーンは幕状部材から形成され、上記開口部が幕状部材の下端から上方に向かって延びる切れ込み状に形成されている請求項１〜１５のいずれか一項に記載の画像撮影装置。
【請求項１７】
上記切れ込み状の開口部の下側寄り部分を着脱可能に係止する係止部材が設けられている請求項１６記載の画像撮影装置。
【請求項１８】
上記切れ込み状の開口部は、隣り合う幕状部材が重なる領域を有している請求項１６または１７記載の画像撮影装置。
【請求項１９】
使用者を含む被写体を撮影してその撮影画像をプリントする画像プリント作成方法であって、撮影領域に存在する被写体に撮影させて撮影画像を生成する撮影ステップと、撮影画像を被写体に対して表示する画像表示ステップと、上記撮影画像をプリント出力するプリントステップとを備え、上記撮影ステップを、撮影領域に存在する被写体とカメラとの間にカメラの撮影範囲内に被写体を露出させることができる開口部が形成された仕切スクリーンを設けた状態で実行することを特徴とする画像撮影方法。
【請求項２０】
上記プリンタに使用されるプリント用紙と、上記プリント用紙のプリント供給可能枚数が記録される記憶手段とがセットの状態となり、請求項１〜１８のいずれか一項に記載の画像撮影装置に備えられた読取手段で上記記憶手段のプリント供給可能枚数が読み取られてその枚数だけ写真プリントが供給されるように構成されたプリント用紙ユニット。
【請求項２１】
上記プリンタに使用されるプリント用紙と、上記プリント用紙に画像をプリントするインクリボン等の記録材料がセットの状態となり、上記プリント用紙または記録材料には当該プリント用紙または記録材料を識別する識別情報が付されており、請求項１〜１８のいずれか一項に記載の画像撮影装置に備えられた読取手段で上記識別情報が読み取られることにより写真プリントが供給されるように構成されたプリント用紙ユニット。
【請求項２２】
上記プリンタに使用されるプリント用紙を備えたプリント用紙ユニットであって、上記プリント用紙には当該プリント用紙を識別する識別情報が付されており、請求項１〜１８のいずれか一項に記載の画像撮影装置に備えられた読取手段で上記識別情報が読み取られることにより写真プリントが供給されるように構成されたプリント用紙ユニット。
【発明の詳細な説明】
【０００１】
【発明の属する技術分野】
本発明は、ゲームセンター等に設置され、硬貨等の投入により使用者を撮影し、撮影画像をプリントして販売する写真自販機等に代表される画像撮影装置および方法ならびにプリント用紙ユニットに関するものである。
【０００２】
【従来の技術】
近年、ゲームセンター等において、写真を撮影してシールプリント等にする写真自販機が数多く設置されている。このような写真自販機としては、一般に、図２９に示すようなものが用いられている。このものは、内部および前面に各種の装置が設けられた筐体１と、上記筐体１の上下から使用者である被写体２の背後まで達するように突き出された支柱３とを備えている。
【０００３】
そして、上記両支柱３の先端部分に、撮影の際の背景となるカーテン５が吊設され、上記筐体１，支柱３，カーテン５で囲まれた空間が、被写体２の撮影用ブースを形成している。上側の支柱３には、撮影用ブース内の被写体２を照射する２つのライト４が取り付けられている。
【０００４】
上記筐体１の内部には、被写体２を撮影するカメラ６が設けられている。上記筐体１のカメラ６の被写体２側に位置する面には、透明板１０が嵌め込まれている。また、上記筐体１の内部には、上記カメラ６から画像データを受信して画像合成等の処理を行うコンピュータ装置７が設けられている。また、上記筐体１の被写体２側には、上記コンピュータ装置７から送信された合成画像等の画像信号を受信して画像を表示するディスプレイ８が設けられている。
【０００５】
さらに、上記筐体１の内部には、コンピュータ装置７から送信された画像データを受信し、この画像をプリント媒体１４に印刷するプリンタ９が設けられている。このプリンタ９で印刷されたプリント媒体１４は、筐体１に形成された送出口１３から送出されるようになっている。
【０００６】
さらに、上記筐体１の前面には操作パネルが設けられ、この操作パネルにコントローラ１１が設けられている。上記コントローラ１１は、タッチペン１２を備え、使用者２が上記タッチペン１２の先端をディスプレイ８の表面に接触させて文字や図形等を描いて入力しうるようになっており、手書き入力された文字・図形等の画像データやスタンプ画像等が、カメラ６で撮影された被写体２の撮影画像と合成されてディスプレイ８に表示され、プリント媒体１４に印刷されるようになっている。
【０００７】
このような写真自販機として出願人が把握している先行技術文献としては、下記のようなものが存在する。
【特許文献１】
実用新案登録第３０４７９１０号
【０００８】
【発明が解決しようとする課題】
上記写真自販機では、単に撮影用ブース内に入った被写体２を撮影するだけであるため、撮影画像には、バックに吊設されたカーテン５と被写体２が写り込むにすぎず、得られる撮影画像は極めて画一的で変化に乏しい。近年のように、写真自販機が多くのユーザに利用されている現状では、画一的な撮影画像しか得られないようでは、ユーザの多様なニーズに十分応えられない。
【０００９】
本発明は、このような事情に鑑みなされたもので、被写体とカメラの間に開口部が形成された仕切スクリーンを設け、上記開口部から露出した被写体を撮影することにより特殊な撮影効果を得ることができる画像撮影装置および方法ならびにプリント用紙ユニットの提供を目的とする。
【００１０】
【課題を解決するための手段】
上記の目的を達成するため、本発明の画像撮影装置は、撮影領域に存在する被写体を撮影して撮影画像を生成するカメラと、撮影画像を被写体に対して表示するディスプレイと、撮影画像をプリント出力するプリンタとを備え、使用者を含む被写体を撮影してその撮影画像等をプリントする画像撮影装置であって、
上記撮影領域に存在する被写体とカメラとの間に、カメラの撮影範囲内に被写体を露出させることができる開口部が形成されるとともに、カメラ側面に画像合成のために適当な着色が施された仕切スクリーンが設けられ、
上記仕切スクリーンの開口部から露出された被写体の身体の一部を開口部や仕切スクリーンとともに撮影した撮影画像に被写体の前景として写り込んだ仕切スクリーンの部分に第２画像を合成して合成画像を生成する画像合成手段とをさらに備えたことを要旨とする。
【００１１】
すなわち、本発明の画像撮影装置は、上記撮影領域に存在する被写体とカメラとの間に、カメラの撮影範囲内に被写体を露出させることができる開口部が形成された仕切スクリーンが設けられている。このため、上記仕切スクリーンの開口部から被写体の身体の一部等を露出させた状態で、被写体の開口部から露出した部分を開口部や仕切スクリーンとともに撮影することにより、被写体の前景として仕切スクリーンや開口部が写り込む。そして、例えば開口部を窓のような形状にすることにより、窓から顔を覗かせたり半身を乗り出したりしたような画像を撮影でき、従来では不可能であった特殊な撮影結果を得ることができる。
【００１２】
また、上記画像撮影装置は、上記撮影画像と第２画像を合成して合成画像を生成する画像合成手段とをさらに備え、上記仕切スクリーンのカメラ側面に画像合成のために適当な着色が施されているため、被写体の前景として写り込んだ仕切スクリーンの部分に第２画像を合成することが容易にできるようになる。そして、例えば開口部を窓のような形状にすることにより、窓から顔を覗かせたり半身を乗り出したりしたような画像を撮影でき、前景として写り込んだ窓の周辺部分に中世の宮殿のような装飾画像を合成する等、従来では不可能であった特殊な画像を得ることができる。
【００１３】
本発明の画像撮影装置において、上記撮影画像を表示して、使用者の操作による上記第２画像の入力を受け付ける第２画像受付手段を備える場合には、被写体の前景として写り込んだ仕切スクリーンの部分に、利用者所望の第２画像を入力できる。
【００１４】
本発明の画像撮影装置において、上記仕切スクリーンよりも被写体側の被写体のバックとなる領域にバックスクリーンが設けられている場合や、上記バックスクリーンに、仕切スクリーンのカメラ側面に施された着色とは異なる着色が施されている場合には、仕切スクリーンの開口部に写り込むバックスクリーンが区別されて開口部の形状がはっきりわかるように写るため、開口部が形成された仕切スクリーンを使用した撮影効果が顕著に表れた撮影結果が得られる。
【００１５】
この場合において、例えば、上述したような第２画像受付手段と画像合成手段とを備え、上記仕切スクリーンのカメラ側面に画像合成のために適当な着色を施すとともに、バックスクリーンにはそれ以外の着色を施すことができる。このようにすることにより、例えば、開口部を窓のような形状にして窓から顔を覗かせたり半身を乗り出したりしたような画像を撮影でき、前景として写り込んだ仕切スクリーンに中世の宮殿のような装飾画像を合成する等、従来では不可能であった特殊な画像を得ることができる。
【００１６】
また、反対に、例えば、上述したような第２画像受付手段と画像合成手段とを備え、上記バックスクリーンのカメラ側面に画像合成のために適当な着色を施すとともに、仕切スクリーンにはそれ以外の着色を施すことができる。このようにすることにより、例えば、開口部を窓のような形状にすることにより、窓から顔を覗かせたり半身を乗り出したりしたような画像を撮影でき、背景として写り込んだバックスクリーンに宮殿の内部のような装飾画像を合成する等、従来では不可能であった特殊な画像を得ることができる。
【００１７】
本発明の画像撮影装置において、カメラによる撮影時に被写体を照明する照明手段が、上記仕切スクリーンよりもカメラ側に配置されている場合には、仕切スクリーンの開口部から露出した被写体を照明すると同時に、仕切スクリーンのカメラ側の面も照明することができる。したがって、被写体だけでなく仕切スクリーンもまんべんなく照明されてきれいに撮影できる。
【００１８】
この場合において、例えば、上述したような第２画像受付手段と画像合成手段とを備え、上記仕切スクリーンのカメラ側面に画像合成のために適当な着色を施すとともに、バックスクリーンにはそれ以外の着色を施すことができる。このようにすることにより、例えば、仕切スクリーンに装飾画像を合成する際に、仕切スクリーンが均一に照明されているため、きれいな合成画像を得られる。
【００１９】
本発明の画像撮影装置において、上記カメラによる撮影動作の操作入力を行うコントローラーが、上記仕切スクリーンよりも被写体側に配置されている場合には、使用者は撮影操作を仕切スクリーンの手前で行うことができ、仕切スクリーンが操作のじゃまにならず、操作性がよくなるとともに自由度の高いポーズをきめることができる。
【００２０】
本発明の画像撮影装置において、撮影操作等の案内情報を音声出力する音声出力装置が、上記仕切スクリーンよりも被写体側に配置されている場合には、案内情報の音声が仕切スクリーンに邪魔されずに使用者に届く。このため、使用者は案内情報をはっきりと聞き取れて操作に戸惑うことが少なくなる。また、音声出力も比較的低出力ですむことから、低出力用の機器が使用できて装置コストを抑えるとともにエネルギーも節約できる。
【００２１】
本発明の画像撮影装置において、上記仕切スクリーンが、カメラの撮影範囲をカバーする大きさに設定されている場合には、撮影範囲に余分なものが写り込まずすっきりとした撮影画像が得られ、装飾画像を合成する際にも合成をきれいに行うことができる。
【００２２】
本発明の画像撮影装置において、上記仕切スクリーンが複数種類備えられて使用者により変更可能になっている場合には、例えば、開口部の開口形状が異なる仕切スクリーンや色彩・模様等が異なる仕切スクリーンを複数種類準備し、それらを変更して撮影することにより、使用者の好みにあった異なる趣の撮影画像を容易に提供できるようになる。
【００２３】
本発明の画像撮影装置において、上記仕切スクリーンに開口部が複数設けられるとともに、カメラによる撮影範囲の切り替えにより撮影する開口部を変更可能になっている場合には、例えば、開口形状が異なる開口部や、開口部周辺の色彩・模様等が異なる開口部を複数種類準備し、撮影する開口部を変更することにより、使用者の好みにあった異なる趣の撮影画像を容易に提供できるようになる。
【００２４】
本発明の画像撮影装置において、上記仕切スクリーンに開口部が複数設けられるとともに、使用しない開口部を覆うカバー部材を備えている場合には、例えば複数人で利用する際、各利用者（被写体）がそれぞれ開口部から顔を出して撮影を行うことができる。そして、使用しない開口部をカバー部材で覆うことにより不要な開口部を隠し、すっきりしたきれいな撮影画像を得ることができる。
【００２５】
この場合において、例えば、上述したような第２画像受付手段と画像合成手段とを備え、上記仕切スクリーンおよびカバー部材の双方のカメラ側面に画像合成のために適当な着色を施すことができる。このようにすることにより、例えば、仕切スクリーンに装飾画像を合成する際に、使用していない開口部がきれいに消えた合成画像が生成される。
【００２６】
本発明の画像撮影装置において、上記仕切スクリーンの開口部を覆うカバー部材を備え、仕切スクリーンの前での撮影と後での撮影とが可能となっている場合には、開口部を利用した撮影を希望しないユーザのニーズにも応えることができる。この場合において、仕切スクリーンとカバー部材の両方に合成用着色を施すことにより、撮影画像上で消せるため、仕切スクリーンとカメラの間のカメラ側空間に被写体が入って仕切スクリーンをバックスクリーンのようにして撮影を行うことも可能になる。
【００２７】
本発明の画像撮影装置において、第２画像受付手段が、仕切スクリーンの前で撮影した撮影画像に対する第２画像の入力を受け付けるものと、仕切スクリーンの後で撮影した撮影画像に対する第２画像の入力を受け付けるものとの２つ設けられている場合には、仕切スクリーンを背景とした撮影と、仕切スクリーンから身を乗り出した撮影の両方を１台の装置で実現することができる。この場合において、同時に２組の使用者２がプレイを行えるように構成することにより、顧客の回転率を高めることができる。
【００２８】
本発明の画像撮影装置において、仕切スクリーンより被写体側の開口部近傍に、撮影の際に被写体が姿勢を支持するための姿勢支持部材が設けられている場合には、開口部から被写体が乗り出して撮影するときに姿勢を支持しやすくなり、安全性も高くなる。また、この場合において、仕切スクリーンを幕状とすることにより、幕状の仕切スクリーンが破れやすいことから、仕切スクリーンにかかる負荷が少なくなって仕切スクリーンの破損を防止する効果が顕著となる。
【００２９】
本発明の画像撮影装置において、上記仕切スクリーンが伸縮可能な幕状部材から形成され、開口部が拡大縮小可能に構成されている場合には、例えば開口部を広げて被写体の半身をカメラ側に挿入し、幕から半身が飛び出したような状態で撮影を行うことにより、特殊な撮影効果を得ることができる。
【００３０】
この場合において、例えば、上述したような第２画像受付手段と画像合成手段とを備え、上記幕状の仕切スクリーンのカメラ側面に画像合成のために適当な着色を施すことができる。このようにすることにより、合成する装飾画像から半身が飛び出したような特殊な画像を得ることができる。
【００３１】
本発明の画像撮影装置において、上記仕切スクリーンは幕状部材から形成され、上記開口部が幕状部材の下端から上方に向かって延びる切れ込み状に形成されている場合には、利用者（被写体）が開口部から顔等の身体の一部を露出させる際に、切れ込み状の開口部を左右に開いて露出させた顔等の下の部分で引寄せることで容易に撮影に臨むことができる。また、被写体が縦に並んで顔等を露出させてトーテムポールのような画像を撮影することも容易に行なえ、撮影プレイの楽しみが増加する。しかも、開口部が下端から上方に向かう切れ込み状であるため、誤って首が絞まってしまうような事故を未然に防止でき、安全性が高くなる。
【００３２】
本発明の画像撮影装置において、上記切れ込み状の開口部の下側寄り部分を着脱可能に係止する係止部材が設けられている場合には、利用者（被写体）が開口部から顔等の身体の一部を露出させる際に、切れ込み状の開口部を左右に開いて露出させた顔等の下の部分で幕状部材を引寄せたときに、上記係止部材で引寄せた部分を係止することにより、顔等を露出させた状態を維持でき、撮影カットが複数となって、顔等を露出する状態を長時間維持する場合でも、利用者の疲れが少なくなる。また、係止部材は着脱可能で容易に離れるため、誤って首が絞まってしまうような事故を未然に防止でき、安全性が高くなる。
【００３３】
本発明の画像撮影装置において、上記切れ込み状の開口部は、隣り合う幕状部材が重なる領域を有している場合には、利用者（被写体）が開口部から顔等の身体の一部を露出させた際に、切れ込み状の開口部を左右に開いて露出させた顔等の下の部分で幕状部材を引寄せたときに、上記重なる領域の存在により、幕状部材の後に隠れている部分が見えにくくなり、合成する場合の合成むら等の発生を防止し、見映えのよい美麗な画像を得ることができる。
【００３４】
本発明の画像撮影方法は、使用者を含む被写体を撮影してその撮影画像をプリントする画像プリント作成方法であって、撮影領域に存在する被写体に撮影させて撮影画像を生成する撮影ステップと、撮影画像を被写体に対して表示する画像表示ステップと、上記撮影画像をプリント出力するプリントステップとを備え、上記撮影ステップを、撮影領域に存在する被写体とカメラとの間にカメラの撮影範囲内に被写体を露出させることができる開口部が形成された仕切スクリーンを設けた状態で実行することを要旨とする。
【００３５】
本発明のプリント用紙ユニットは、上記プリンタに使用されるプリント用紙と、上記プリント用紙のプリント供給可能枚数が記録される記憶手段とがセットの状態となり、請求項１〜１７のいずれか一項に記載の画像撮影装置に備えられた読取手段で上記記憶手段のプリント供給可能枚数が読み取られてその枚数だけ写真プリントが供給されるように構成されたことを第１の要旨とする。
【００３６】
また、本発明のプリント用紙ユニットは、上記プリンタに使用されるプリント用紙と、上記プリント用紙に画像をプリントするインクリボン等の記録材料がセットの状態となり、上記プリント用紙または記録材料には当該プリント用紙または記録材料を識別する識別情報が付されており、請求項１〜１７のいずれか一項に記載の画像撮影装置に備えられた読取手段で上記識別情報が読み取られることにより写真プリントが供給されるように構成されたことを第２の要旨とする。
【００３７】
また、本発明のプリント用紙ユニットは、上記プリンタに使用されるプリント用紙を備えたプリント用紙ユニットであって、上記プリント用紙には当該プリント用紙を識別する識別情報が付されており、請求項１〜１７のいずれか一項に記載の画像撮影装置に備えられた読取手段で上記識別情報が読み取られることにより写真プリントが供給されるように構成されたことを第３の要旨とする。
【００３８】
【発明の実施の形態】
つぎに、本発明の実施の形態を詳しく説明する。
【００３９】
図１は、本発明の画像撮影装置の一実施の形態を示す図である。この画像撮影装置は、内部および表面に各種の装置が設けられた筐体１と、上記筐体１の上下から被写体２の背後まで達するように突き出された支柱３とを備えている。
【００４０】
上記両支柱３の先端部分すなわち被写体２の背後に、撮影の際の背景となるバックスクリーン２１が設けられている。また、上側の支柱３には天井幕が張設され（図示せず）、左右には側壁が設けられている（手前側の側壁は図示していない）。そして、上記筐体１，支柱３（天井幕），バックスクリーン２１，側壁で囲まれた空間がプレイ用のブースを形成している。
【００４１】
上記筐体１の前面には、対価としての硬貨を投入する硬貨投入口（図示せず）が設けられ、硬貨の投入を検出することによりプレイ動作が開始されるようになっている。
【００４２】
上記筐体１の内部には、プレイ動作の開始により被写体２を撮影するカメラ６が設けられている。上記筐体１のカメラ６の被写体２側に位置する面には、透明板１０が嵌め込まれるとともに、上記カメラ６で撮像された画像を被写体２に対してリアルタイム表示するディスプレイ１７が設けられている。
【００４３】
また、上記筐体１の内部には、上記カメラ６を制御して撮影動作を行わせたり、上記カメラ６から撮影画像の画像データを受信して画像合成等の処理を行ったりするコンピュータ装置７が設けられている。
【００４４】
また、上記筐体１の被写体２側には、上記コンピュータ装置７から送信された画像信号を受信して表示するとともに、タッチペン１２による操作信号を受け付ける液晶タブレット１６が設けられている。
【００４５】
上記液晶タブレット１６は、液晶表示装置等の表示装置を備え、使用者２に対する操作案内や操作指示等の情報が表示される。また、上記液晶タブレット１６は、タッチパネル等の入力装置を備え、上記操作指示に従って使用者２が液晶タブレット１６の表面にタッチペン１２の先端を接触させることにより、プレイ制御のための各種の操作信号を受け付けてコンピュータ装置７に送るようになっている。これにより、後述する各種の操作が行われる。
【００４６】
また、上記液晶タブレット１６には、撮影画像が表示されるとともに、タッチペン１２の先端を表面に接触させて手書き入力された文字や図形等の画像データやスタンプ画像等（本発明の第２画像である）を受け付けるようになっている。すなわち、上記液晶タブレット１６は本発明の第２画像受付手段として機能する。ここで入力された手書き画像等は、コンピュータ装置７により撮影画像と合成されて液晶タブレット１６に表示される。すなわち、上記コンピュータ装置７は本発明の画像合成手段として機能する。
【００４７】
さらに、上記筐体１の内部には、コンピュータ装置７から送信された撮影画像や合成画像等の画像データを受信し、この画像を本発明のプリント媒体１４に印刷するプリンタ９が設けられている。このプリンタ９で印刷されたプリント媒体１４は、本発明の画像プリントとして筐体１前面に形成された送出口１３から送出されるようになっている。
【００４８】
上記ブースはカメラ６による撮影領域を含み、上記ブースの天井部の支柱３には、その撮影領域に存在する被写体２とカメラ６との間の位置に、ブースをカメラ側空間Ａとバック側空間Ｂとに仕切る幕状の仕切スクリーン２２が吊設されている。上記仕切スクリーン２２は、この例では巻上ケース２４に巻上げ収納することができるロールスクリーンであり、図２に示すように、カメラ６による撮影範囲２５内に被写体２を露出させることができる開口部２３が形成されている。図において２６は仕切スクリーン２２の下端部に取り付けられた重錘である。
【００４９】
上記仕切スクリーン２２は、カメラ６と仕切スクリーン２２との距離やカメラ６で使用されるレンズの画角等に応じ、カメラ６の撮影範囲２５をカバーする大きさに設定されている。このようにすることにより、撮影範囲２５に余分なものが写り込まずすっきりとした撮影画像が得られ、手書き画像等の装飾画像を合成する際にも合成をきれいに行うことができる。
【００５０】
上記開口部２３は、この例では、上部が円弧状で下部が方形状の窓状を呈しており、被写体２は上記窓状の開口部２３から顔を覗かせたり半身を乗り出したりしてカメラ６に向かってポーズをとり、写真撮影できるようになっている。なお、図２は仕切スクリーン２２をカメラ側空間Ａから見た状態を示している。上記仕切スクリーン２２の開口部２３の開口縁部には、開口部２３の開口形状を保持する開口形状保持部材２７が取りつけられている。この開口形状保持部材２７は、樹脂やフェルト等の破損しにくい素材から形成するのが好ましい。また、上記開口形状保持部材２７を仕切スクリーン２２から着脱可能に取り付けて破損した場合に交換できるようにすることもできる。このようにすることにより、破損したときに、仕切スクリーン２２と開口形状保持部材２７との双方を交換するのではなく、いずれか破損した方だけを交換することが可能となり、経済的である。
【００５１】
この例では、上記仕切スクリーン２２（巻上ケース２４）は、開口部２３の開口形状が異なるものが複数種類（図では３種類）取り付けられており、使用者２が自分の好みに応じて使用する仕切スクリーン２２を選択することにより変更して撮影できるようになっている。図３には、開口部２３の開口形状が丸型である仕切スクリーン２２の第２例を示したが、開口部２３の形状はこれらに限定されるものではなく、例えば三角形や四角形，卵型，切れ目状等、各種の形状・態様を採ることができる。
【００５２】
また、この装置では、上記仕切スクリーン２２より被写体２側の部分に、撮影の際に被写体２がつかまる等して姿勢を支持するための姿勢支持部材１５が設けられている。この例では、上記姿勢支持部材１５は、Ｈ型に形成されてＨ型の上部のコ字状を呈する部分が開口部２３の下側と左右両側とに位置するようになっている。このように、姿勢支持部材１５を開口部２３の左右と下側とに存在させたことにより、開口部２３から被写体２が乗り出して撮影するときに姿勢を支持しやすくなり、安全性も高くなる。
【００５３】
また、この例では、仕切スクリーン２２が幕状であることから、姿勢支持部材１５を存在させることにより、開口部２３から被写体２が乗り出して撮影する際に、仕切スクリーン２２にかかる負荷がほとんどなくなり、仕切スクリーン２２の破損を防止できる。また、開口部２３の上側には姿勢支持部材１５を存在させていないことから、撮影時に被写体２が頭を打ち付ける危険が減少して安全性がより高くなる。
【００５４】
上記画像撮影装置では、カメラ６による撮影動作の操作入力を行うコントローラー１８が、仕切スクリーン２２よりも被写体２側のバック側空間Ｂに配置されている。このコントローラ１８で行う撮影操作としては、例えば、カメラ６の移動，切り換え，ズーミング等の構図を決める操作や、シャッター操作、仕切スクリーン２２の選択操作等があげられる。このようにすることにより、使用者２は撮影操作を仕切スクリーン２２の手前で行うことができ、仕切スクリーン２２が操作のじゃまにならず、操作性がよくなるとともに自由度の高いポーズをきめることができる。
【００５５】
また、上記画像撮影装置では、撮影操作等の案内情報を音声出力する音声出力装置であるスピーカ２９が、仕切スクリーン２２よりも被写体２側のバック側空間Ｂに配置されている。このようにすることにより、案内情報の音声が仕切スクリーン２２に邪魔されずに使用者２に届き、使用者２は案内情報をはっきりと聞き取れて操作に戸惑うことが少なくなる。また、音声出力も比較的低出力ですむことから、低出力用の機器が使用できて装置コストを抑えるとともに、エネルギーも節約できる。
【００５６】
この例において、上記仕切スクリーン２２のカメラ６側の面に、画像合成のために適当な着色（例えばブルー）を施すことができる。このようにすることにより、被写体２の前景として写り込んだ仕切スクリーン２２の部分に、手書き画像等の装飾画像を容易かつきれいに合成することができる（図２参照）。そして、例えば、前景として写り込んだ窓状の周辺部分に中世の宮殿のような装飾画像を合成する等、従来では不可能であった特殊な画像を得ることができる。
【００５７】
この場合において、上記バックスクリーン２１に、仕切スクリーン２２のカメラ側面に施されたブルー等の合成用着色と異なる着色を施すことにより、仕切スクリーン２２の開口部２３内に写り込むバックスクリーン２１が明瞭に区別され、開口部２３の形状がはっきりわかるように写るため、この仕切スクリーン２２を使用した撮影効果が顕著に表れる。すなわち、上記バックスクリーン２１は、少なくとも開口部２３のカメラ６から撮影される範囲をカバーする大きさに設定する必要がある。
【００５８】
また、反対に、バックスクリーン２１のカメラ６側の面に画像合成のために適当なブルー等の着色を施すとともに、仕切スクリーン２２にはそれ以外の着色を施すこともできる。このようにすることにより、例えば、窓状の開口部２３から顔を覗かせたり半身を乗り出したりしたような撮影画像において、背景として写り込んだバックスクリーン２１に宮殿の内部のような装飾画像を合成するような特殊な画像を得ることができる。
【００５９】
さらに、上記仕切スクリーン２２やバックスクリーン２１には、開口部２３の形状を利用した装飾的な画像をあらかじめ描いておくこともできる。このようにすることにより、開口部２３と、この開口部２３の形状を利用した装飾的な画像とが被写体２とともに写り込むため、装飾効果に優れた写真を提供できる。
【００６０】
また、上記画像撮影装置には、カメラ側空間Ａの天井部の支柱３に、仕切スクリーン２２のカメラ６側の面に向かって照明光を照射する前側照明１９が設けられている。このように、仕切スクリーン２２よりもカメラ６側に配置された前側照明１９で撮影時に被写体２を照明することにより、仕切スクリーン２２の開口部２３から露出した被写体２を照明すると同時に、仕切スクリーン２２のカメラ６側の面もまんべんなく照明されてきれいに撮影でき、仕切スクリーン２２に装飾画像を合成する際にもきれいな合成画像を得られる。
【００６１】
また、上記画像撮影装置には、バック側空間Ｂの天井部の支柱３に、バックスクリーン２１の被写体２側の面を照明するバック側照明２０が設けられている。このようにすることにより、バックスクリーン２１も均一に照明できて、バックスクリーンに合成用着色を施した場合に、バックスクリーン２１への合成がきれいにできる。また、仕切スクリーン２２に合成用着色を施し、バックスクリーン２１にそれ以外の着色を行う場合でも、バックスクリーン２１の着色がきれいに写り込んで良質の撮影画像を得ることができる。
【００６２】
上記画像撮影装置を用い、例えばつぎのようにして本発明の画像撮影方法が実行される。
【００６３】
まず、使用者２が最初の硬貨を投入すると、カメラ６による被写体２の撮像が開始され、ディスプレイ１７に撮像映像が動画としてリアルタイムで表示される。ついで、使用者２は、天井部に取り付けられたロールスクリーンのうち所望の形状の開口部２３を有する仕切スクリーン２２を引き出し、開口部２３から顔を覗かせたり半身を乗り出したりしてポーズをきめる。
【００６４】
つぎに、使用者２がディスプレイ１７の表示画像を見ながら被写体２の位置調整を完了した後に、コントローラ１８を用いて画面の指示に従ってシャッタ操作の操作信号を入力すると、使用者２にポーズをとるよう指示し、それから所定時間のカウントダウン後に、所定の瞬間の撮像映像が静止画像として固定され、コンピュータ装置７に送られる。このとき、ディスプレイ１７には、そのときの撮影画像が静止画像として表示される。
【００６５】
ここで得られた撮影画像が気にいらなければ、コントローラ１８の操作によりキャンセルして所定回数まで取り直しを行うことができる。取り直しを行うかわりに、複数ショットの撮影を連続して行い、そのなかから使用者２が気に入った撮影画像を１枚または複数枚選択するようにしてもよい。これら一連の撮影プレイの音声ガイドは、仕切スクリーン２２より被写体２側のスピーカ２９から流される。
【００６６】
撮影プレイが終了すると、撮影画像が液晶タブレット１６に表示され、ペン入力画像を入力するお絵描きプレイが開始される。お絵描きプレイとしては、例えば、タッチペン１２による手書き画像の入力やスタンプ画像の入力等が行われる。
【００６７】
そして、手書き画像等の入力は、タイマによる制限時間が管理されており、あらかじめ設定された所定の入力可能時間（例えば９０秒等）に達するまで続けられる。このとき、撮影画像は、図２に示す撮影範囲２５の枠内の映像であり、主として、被写体２と開口部２３の周辺に写り込んだ仕切スクリーン２２の部分に手書き画像の入力を行うことができる。
【００６８】
そして、お絵描きプレイが終了すると、印刷の際のシートレイアウトの選択が行われ、合成画像の画像データがプリンタ９に送られ、印刷が開始される。そして、被写体２の撮影画像とペン入力画像等が合成された合成画像が印刷されたプリント媒体１４が送出される。
【００６９】
このように、上記画像撮影装置および方法によれば、仕切スクリーン２２の開口部２３から被写体２の身体の一部等を露出させた状態で、被写体２の開口部２３から露出した部分を開口部２３や仕切スクリーン２２とともに撮影することにより、被写体２の前景として仕切スクリーン２２や開口部２３が写り込む。そして、例えば開口部２３を窓のような形状にすることにより、窓から顔を覗かせたり半身を乗り出したりしたような画像を撮影でき、従来では不可能であった特殊な撮影結果を得ることができる。
【００７０】
そして、上記画像撮影方法は、コンピュータ装置７で実行されるプログラムによって実現され、上記プログラムは、ＣＤ−ＲＯＭ等の記録媒体にコンピュータ読み取り可能に記録されて提供されたり、あるいは通信回線等を介して提供される。
【００７１】
図４は、上記画像撮影装置および方法に用いる仕切スクリーン２２の第３例を示す。この仕切スクリーン２２は、窓状の開口部２３の部分に、被写体２側（すなわち図では仕切スクリーン２２の裏側）から開口部２３を覆うカバー部材３２が取り付けられている。上記カバー部材３２は、中央に上下に延びる切れ目３１が設けられ、被写体２は切れ目３１に身体をくぐらせてカメラ６に臨み撮影を行う。このとき、繰り返し使用によりカバー部材３２が傷みやすいため、上記カバー部材３２は、マジックテープ（登録商標）のような着脱テープ３３により着脱および交換が可能になっている。なお、着脱テープ３３ではなくファスナー等の他の方法で取り付けるようにしてもよい。
【００７２】
上記カバー部材３２は、仕切スクリーン２２と同様に合成用の着色を施すことができる。このようにすることにより、切れ目３１からカメラ６側に露出した被写体２の部分以外は、合成用着色がされた仕切スクリーン２２とカバー部材３２であり、撮影画像上で消せるため、特殊な撮影効果を得ることができる。
【００７３】
また、仕切スクリーン２２とカバー部材３２の両方に合成用着色を施すことにより、撮影画像上で消せるため、仕切スクリーン２２とカメラの間のカメラ側空間Ａに被写体２が入って仕切スクリーン２２をバックスクリーンのようにして撮影を行うことも可能になる。このように、被写体２の選択により仕切スクリーン２２の前後での撮影を可能にすることにより、開口部２３を利用した撮影を希望しないユーザのニーズにも応えることができる。なお、上記カバー部材３２は、仕切スクリーン２２と異なる着色としてもよいし、透明フィルムを用いることもできる。それ以外は、図２に示すものと同様であり、同様の作用効果を奏する。
【００７４】
図５は、上記画像撮影装置および方法に用いる仕切スクリーン２２の第４例を示す。この仕切スクリーン２２は、撮影範囲２５内に複数の開口部２３が設けられている。上記各開口部２３の部分には、被写体２側（すなわち図では仕切スクリーン２２の裏側）からそれぞれの開口部２３を覆うカバー部材３２が取り付けられている。上記カバー部材３２は、マジックテープ（登録商標）のような着脱テープ３３（図示せず）により着脱および交換が可能になっている。この例では、バックスクリーン２１は、すべての開口部２３のカメラ６から撮影される範囲をカバーする必要がある。
【００７５】
上記カバー部材３２は、仕切スクリーン２２と同様に合成用の着色を施すことができる。そして、撮影に必要な開口部２３だけカバー部材３２を外して被写体２が顔等を覗かせ、使用しない開口部２３はカバー部材３２で閉じておくことができる。このようにすることにより、使用しない開口部２３は、合成用着色のカバー部材３２により隠れて撮影画像上で消せるため、すっきりしたきれいな撮影画像を得ることができる。
【００７６】
なお、使用しない開口部２３は、上述したようにカバー部材３２で隠すことができるが、それ以外またはカバー部材３２の使用と併用し、カメラ６のズーミングや撮影後のトリミング処理等により画像のフレームから外すようにすることもできる。これは、以下に説明する例でも同様であるので説明は省略する。また、上記カバー部材３２は、仕切スクリーン２２と異なる着色としてもよい。それ以外は、図２に示すものと同様であり、同様の作用効果を奏する。
【００７７】
図６は、上記画像撮影装置および方法に用いる仕切スクリーン２２の第５例を示す。この仕切スクリーン２２は、ニット地等の伸縮性を有する幕状部材から形成され、撮影範囲２５内に複数の開口部２３が設けられている。そして、各開口部２３の開口縁部には、伸縮紐部材であるゴム３４が縫い付けられ、開口部２３を拡大縮小しうるようになっている。このようにすることにより、例えば開口部２３を広げて被写体２の半身をカメラ６側に挿入し、幕から半身が飛び出したような状態で撮影を行うことにより、特殊な撮影効果を得ることができる。
【００７８】
さらに、仕切スクリーン２２が伸縮性を有する幕状部材から形成されているため、被写体２が開口部２３から半身を飛び出させた場合に、開口部２３の開口縁部が被写体２の身体にぴったりとフィットし、バックスクリーン２１等のよけいなものが開口部２３から写らなくなる。このため、仕切スクリーン２２の部分への装飾画像の合成が行いやすくなる。この場合バックスクリーン２１を省略してもよい。
【００７９】
また、この例では、使用しない開口部２３を隠すためのカバースクリーン３５およびそれを巻上収納する巻上ケース３６が取り付けられている。図において３７は引き手である。このカバースクリーン３５は、仕切スクリーン２２と同様に合成用の着色が施される。このようにすることにより、使用しない開口部２３は、合成用着色のカバースクリーン３５により隠れて撮影画像上で消せるため、すっきりしたきれいな撮影画像を得ることができる。
【００８０】
この例において、カバースクリーン３５は、操作性を考慮すると仕切スクリーン２２よりも被写体２側に取り付けるのが好ましいが、必ずしもそうする必要はなく、仕切スクリーン２２よりもカメラ６側に取り付けても良い。それ以外は、図２に示すものと同様であり、同様の作用効果を奏する。
【００８１】
図７は、本発明の第２の実施の形態の画像撮影装置および仕切スクリーン２２の第６例を示す。この例では、液晶タブレット１６，タッチペン１２，プリント媒体１４の送出口１３が、筐体１の被写体２側の面ではなく側面に設けられている。そして、仕切スクリーン２２は、幕状のロールスクリーンではなく、体重をかけても変形しない板状体から形成され、被写体２が撮影の際にもたれかかっても倒れないよう支持部材２８でしっかりと支持されている。なお、この板状体からなる仕切スクリーン２２において、開口部２３に透明板を嵌め込むこともできる。
【００８２】
また、被写体２の背後には、バックスクリーン２１の代わりにカーテン５が吊設され、撮影領域に図１に示すもののようなブースが形成されていない。このような構造をとることにより、装置全体をコンパクトにすることができる。なお、カーテン５の大きさは、カメラ６から撮影される開口部２３の開口部分をカバーするように設定される必要がある。加えて、カーテン５の大きさを使用者２の半身が隠れるように設定することにより、誰かが装置を利用していることが外から見て容易にわかるため、顧客は利用しやすくなり、顧客回転率の向上にも効果的である。
【００８３】
この画像撮影装置でも、撮影操作を行うコントローラ１８やスピーカ２９が仕切スクリーン２２よりも被写体２側に配置されているのは、図１に示すものと同様である。それに加えて、この画像撮影装置では、硬貨投入口３０を仕切スクリーン２２よりも被写体２側に配置することにより、撮影プレイ等の操作をすべて仕切スクリーン２２の外側で行えるようになっている。そして、お絵描きプレイも筐体１の側面で行い、使用者２は仕切スクリーン２２と筐体１の間の空間に入らなくても良いようになっている。それ以外は、図２に示すものと同様であり、同様の作用効果を奏する。
【００８４】
図８は、本発明の第３の実施の形態の画像撮影装置を示す。この例では、筐体１とバックスクリーン２１との間に形成されたブースが、体重をかけても変形しない板状体から形成された仕切スクリーン２２によりカメラ側空間Ａとバック側空間Ｂとに仕切られている。また、液晶タブレット１６，タッチペン１２，プリント媒体１４の送出口１３等のお絵描きプレイ操作部が、筐体１の側面に設けられているとともに、バック側空間Ｂの壁面にも設けられている。
【００８５】
この画像撮影装置でも、撮影操作を行うコントローラ１８やスピーカ２９が仕切スクリーン２２よりも被写体２側に配置されているのは、図１に示すものと同様であるのに加えて、この画像撮影装置では、硬貨投入口３０を仕切スクリーン２２よりも被写体２側に配置している。このようにすることにより、使用者２は撮影プレイとお絵描きプレイの双方をバック側空間Ｂ内で行えるようになっている。
【００８６】
また、上記仕切スクリーン２２のカメラ側には、開口部２３や仕切スクリーン２２を隠すロールスクリーンであるカバースクリーン３５が設けられている。そして、バック側空間Ｂ内で他の使用者２がお絵描きプレイを行っている間、撮影と印刷だけでよい使用者２は、必要に応じてカバースクリーン３５を下ろして、カメラ側空間Ａ内で撮影プレイとお絵描きプレイおよび印刷を行うことができるようになっている。また、硬貨投入口３０，撮影操作のコントローラ１８，撮影プレイのガイド音声を発するスピーカ２９が、カメラ側空間Ａにも設けられている。
【００８７】
このように、液晶タブレット１６およびタッチペン１２が、仕切スクリーン２２の前で撮影した撮影画像に対してお絵描きプレイをするものと、仕切スクリーン２２の後で撮影した撮影画像に対してお絵描きプレイをするものとの２つ設けられていることにより、仕切スクリーン２２を背景とした撮影と、仕切スクリーン２２から身を乗り出した撮影の両方を１台の装置で実現することができる。さらに、カメラ側空間Ａで利用している利用者２が筐体１の側面に移動してお絵描きプレイに移行した段階で、バック側空間Ｂの利用者２が撮影を開始でき、同時に２組の使用者２がプレイを行うことができ、顧客の回転率を高めることができる。それ以外は、図２や図７に示すものと同様であり、同様の作用効果を奏する。
【００８８】
図９は、図７や図８に示した画像撮影装置に用いられる仕切スクリーン２２の第７例を示す。この図では、仕切スクリーン２２を被写体２側から見ている。この仕切スクリーン２２は、板状部材から形成され、カメラ６の撮影範囲２５内に形状が異なる複数種類の開口部２３が形成されている。上記各開口部２３は、それぞれ開口形状と同じ形状の蓋部材３８で蓋できるようになっている。３９は蓋部材３８を着脱する際の把手である。
【００８９】
この仕切スクリーン２２は、カメラ６側の面に合成用着色が施されるとともに、各蓋部材３８のカメラ６側の面にも合成用着色を施すことができる。このようにすることにより、撮影に必要な開口部２３だけ蓋部材３８を外して被写体２が顔等を覗かせ、使用しない開口部２３は蓋部材３８で閉じておくことができる。このようにすることにより、使用しない開口部２３は、合成用着色の蓋部材３８により撮影画像上で消せるため、特殊な撮影効果を得ることができる。この例では、バックスクリーン２１やカーテン５は、すべての開口部２３のカメラ６から撮影される範囲をカバーする必要がある。
【００９０】
また、複数種類の開口部２３の形状を活かす意味で、仕切スクリーン２２と蓋部材３８とを異なる着色としてもよいし、それぞれの蓋部材３８に異なる着色を施してカラフルにすることもできる。それ以外は、上述したものと同様であり、同様の作用効果を奏する。
【００９１】
図１０は、図７や図８に示した画像撮影装置に用いられる仕切スクリーン２２の第８例を示す。この図では、仕切スクリーン２２を被写体２側から見ている。この仕切スクリーン２２は、板状部材から形成され、カメラ６の撮影範囲２５いっぱいに広がるくらい大きな１つの開口部２３が形成されている。そして、上記開口部２３は、複数（この例では１２個）の蓋部材３８を組み合わせて閉じることができるようになっている。この例では、上記複数の蓋部材３８がそれぞれパズルの１ピースのような形状を呈している。
【００９２】
そして、使用者２は、所望の蓋部材３８を取り除いてそこにできた開口に顔等を覗かせて撮影を行うことができる。この仕切スクリーン２２および各蓋部材３８は、それぞれ合成用着色を施してもよいし、それぞれ異なる着色を施してカラフルにすることもできる。それ以外は、上述したものと同様であり、同様の作用効果を奏する。
【００９３】
図１１は、本発明の画像撮影装置の第４の実施の形態および仕切スクリーンの第９例を示す図である。この仕切スクリーン２２は、撮影範囲２５ａ，２５ｂ，２５ｃが複数（この例では３つ）設定されている。各撮影範囲２５ａ，２５ｂ，２５ｃは、使用するカメラ６の変更またはカメラ６の移動や揺動あるいはズーミングにより切り替えることができるようになっている。
【００９４】
そして、各撮影範囲２５ａ，２５ｂ，２５ｃに対応させてそれぞれ１つずつの開口部２３が形成され、カメラによる撮影範囲の切り替えにより撮影する開口部２３を変更しうるようになっている。このようにすることにより、開口形状が異なる開口部２３や、開口部周辺の色彩・模様等が異なる開口部２３を、使用者２の好みにあわせて変更し、趣の異なる撮影画像を容易に提供できるようになる。なお、１つの撮影範囲２５ａ，２５ｂ，２５ｃに対応させてそれぞれ複数の開口部２３を形成してもよい。それ以外は、上述したものと同様であり、同様の作用効果を奏する。
【００９５】
図１２は、本発明の画像撮影装置の第５の実施の形態および仕切スクリーンの第１０例を示す図である。この仕切スクリーン２２は、板状部材から形成され、図１３に示すように、撮影範囲２５の下半分だけに設けられて上半分が開口部２３になっている。上記仕切スクリーン２２の上端部すなわち開口縁は、この例では波型にカットされてシンクロナイズドスイミングをしているような撮影画像を得られるようになっている。それ以外は、上述したものと同様であり、同様の作用効果を奏する。
【００９６】
この例では、仕切スクリーン２２を撮影範囲２５の下半分だけに設けるようにしたが、これに限定するものではなく、上半分だけに設けてもよいし、左右だけあるいは中央部だけに立設してもよい。このとき用いる仕切スクリーン２２は、板状体から形成したものだけでなく、幕状部材から形成したものを用いることもできる。これらの場合、撮影範囲２５の仕切スクリーン２２の無い部分が開口部２３であり、バックスクリーン２１やカーテン５はこの領域をカバーするような大きさ形状に設定される。本発明は、これらの態様も含む趣旨である。
【００９７】
図１４は、本発明の第６の実施の形態の画像撮影装置を示す。図１５は、この実施の形態に用いるものであり、仕切スクリーンの第１１例を示している。
【００９８】
この例では、仕切スクリーン２２は、カーテンのような幕状部材から形成され、カーテンレール４１に取り付けられて吊設されている。この仕切スクリーン２２には、図１５に示すように、幕状部材の下端から上方に向かって延びる切れ込み状に形成された開口部２３が２つ形成されている。
【００９９】
この例において、上記仕切スクリーン２２は、ブルー等のクロマキー合成に適した色彩に着色されており、バックスクリーン２１の被写体２側も同様に、ブルー等のクロマキー合成に適した色彩に着色されている。なお、この例では、仕切スクリーン２２の下端に重錘２６は取り付けられておらず、姿勢支持部材１５も設けられていない。また、バック側空間のコントローラ１８およびスピーカ２９も設けられておらず、コントローラやスピーカは、筐体１に設けられている。
【０１００】
上記撮影画像と合成される第２画像の選択または入力の方法として、本実施の形態では、お絵描きプレイ中に上記撮影画像を液晶タブレット１６に表示して、表示された撮影画像に対して第２画像受付手段により入力するとしているが、その他の方法であってもよい。たとえば、撮影プレイ前、撮影プレイ中または撮影プレイ後お絵描きプレイの前に、選択可能な複数の第２画像を液晶タブレット１６またはディスプレイ１７に表示し、使用者の操作により第２画像を選択する方法があげられる。また、お絵描きプレイ中の第２画像受付手段による第２画像の入力は、選択可能に表示された複数の第２画像から、入力したい第２画像をタッチペン１２で選択し、液晶タブレット１６に表示された撮影画像上でタッチペン１２を走らせて行う入力方法や、選択可能に表示された複数の第２画像から、入力したい第２画像をタッチペン１２で選択し、液晶タブレット１６に表示された撮影画像上の合成したい箇所をタッチペン１２で指定して行う入力方法などがある。
【０１０１】
また、１の撮影画像に対して、複数種類の第２画像を選択または入力して、複数種類の合成画像を生成するようにしてもよい。１枚の撮影画像でも、合成する第２画像の種類によっては、たとえば２人で鬼ごっこする表現、棒を持っている人とスイカになっている人でスイカ割りをしている表現、１人が植木で１人がその植木に水をやっている表現など、さまざまな表現が１枚の撮影画像から可能となり、短時間の１回の撮影からバリエーションのある合成画像またはそれらの合成画像が１枚に印刷されたプリント媒体を提供することができる。
【０１０２】
上記仕切スクリーン２２は、縦に細長い短冊形状の幕ａ，ｂ，ｃを所定の幅領域を重ねしろ（重なる領域）４２とし、上部約３分の１程度の部分を縫い付けたものである。図において４３は縫い目ラインである。そして、上記切れ込み状の開口部２３の下側寄り部分には、上記重ねしろ４２の領域を着脱可能に係止する複数（この例では４つ）の係止部材４４が設けられている。上記係止部材４４としては、この例では、マジックテープ（登録商標）等の着脱テープが使用されているが、これに限定するものではなく、ある程度の力で幕を引っ張ることにより容易に外れるものであれば、スナップ（押ホック）や磁石等各種のものを用いることができる。
【０１０３】
この装置で撮影を行なう場合には、図１６に示すように、切れ込み状の開口部２３を左右に開いてそこから利用者（被写体）２が顔等を露出させ、露出させた顔等の下の部分の幕を引寄せた状態で、下部の係止部材４４を係止させる。すると、ブルーの仕切スクリーン２２から顔だけを覗かせた状態となり、この状態でカメラ６のシャッタ操作を行なって撮影画像を得る（図１６の状態）。
【０１０４】
このとき、切れ込み状の下方部に偏って係止部材４４を設けているため、仕切スクリーン２２の中央部から顔を出しやすく、下方部からは手や足を出したりして撮影することができる。また、切れ込み状の開口部２３を２つ有しているため、２人並んでの撮影が容易になり、２人もしくはそれ以上の人数で撮影する際に便利である。
【０１０５】
ついで、図１７に示すように、上記撮影画像のブルーの部分（仕切スクリーン２２が写り込んだ領域であり、被写体２の顔等露出した部分以外の領域である）に、背景画像（この例ではレンガ積み模様である）をクロマキー等で合成して合成画像を得る（図１７の状態）。この合成画像に、好みに応じてタッチペン１２等による落書き処理やスタンプ画像の貼り付け等を行う編集処理をさらに加え、プリンタによって写真プリントとして出力することが行なわれる。
【０１０６】
この装置では、利用者（被写体）２が開口部２３から顔等の身体の一部を露出させる際に、切れ込み状の開口部２３を左右に開いて露出させた顔等の下の部分で引寄せることで容易に撮影に臨むことができる。また、被写体２が縦に並んで顔等を露出させてトーテムポールのような画像を撮影することも容易に行なえ、撮影プレイの楽しみが増加する。
【０１０７】
また、利用者（被写体）２が開口部２３から顔等の身体の一部を露出させる際に、切れ込み状の開口部２３を左右に開いて露出させた顔等の下の部分で幕状部材を引寄せたときに、上記係止部材４４で引寄せた部分を係止することにより、顔等を露出させた状態を維持でき、撮影カットが複数となって、顔等を露出する状態を長時間維持する場合でも、利用者２の疲れが少なくなる。しかも、開口部２３が下端から上方に向かう切れ込み状であり、係止部材４４は着脱可能で容易に離れるため、誤って首が絞まってしまうような事故を未然に防止でき、安全性が高くなる。
【０１０８】
さらに、上記切れ込み状の開口部２３は、隣り合う幕状部材が重なる領域４２を有しているため、利用者（被写体）２が開口部２３から顔等の身体の一部を露出させた際に、切れ込み状の開口部２３を左右に開いて露出させた顔等の下の部分で幕状部材を引寄せたときに、上記重なる領域４２の存在により、幕状部材の後に隠れている部分が見えにくくなり、合成する場合の合成むら等の発生を防止し、見映えのよい美麗な画像を得ることができる。
【０１０９】
さらに、バックスクリーン２１が仕切スクリーン２２と同様の画像合成のために適当な着色が施されている場合には、図１８（ａ）のように、仕切スクリーン２２の両端を抱えるように撮影した場合に、仕切スクリーン２２が撮影された撮影画像部分とバックスクリーン２１が撮影された撮影画像部分に、それぞれ同じ画像を合成することが可能となり、図１８（ｂ）のように被写体２の顔以外の一部が被写体２からは隔離したような面白みのある画像を得ることができる。またさらに、このような場合、バックスクリーン２１の色彩が仕切スクリーン２２の色彩と略同一色で構成されている方が、クロマキー処理を一回行うだけでよく、なおよい。
【０１１０】
さらに、上記開口部２３とは別に、被写体２の一部を露出しやすい位置に、切り込み部４５を設けた場合が図１９（ａ）および１９（ｂ）である。図１９（ａ）では、手または腕を出しやすい位置に切り込み部４５が設けられた場合の例であり、図１９（ｂ）は手を上げた場合に手または腕を出しやすい位置に切り込み部４５が設けられた場合の例である。切り込み部４５の位置は特に位置を限定するものではない。図中点線部分は被写体２の仕切スクリーン２２で見えない輪郭を表している。
【０１１１】
図２０および図２１は、上記画像撮影装置に用いる仕切スクリーン２２の変形例である。図２０の例では、２枚の短冊形状幕を縫い合わせたもので、切れ込み状の開口部２３が１つ形成されている。図２１の例では、４枚の短冊形状幕を縫い合わせたもので、切れ込み状の開口部２３が３つ形成されている。
【０１１２】
ここで、図２２は、この装置を上側から見た配置図であるが、被写体２の立ち位置すなわち仕切スクリーン２２の配置によりカメラ６による撮影範囲が変化する。図２２のカメラ６から近いｄの位置では被写体２は大きく写るが撮影範囲が狭く、カメラ６から遠いｅの位置では被写体２は小さくなるが撮影範囲は広くなる。
【０１１３】
そこで、図２０の仕切スクリーン２２のように開口部２３が１つの場合は、図のｄ位置よりも前方に仕切スクリーン２２を配置し、図２１の仕切スクリーン２２のように開口部２３が３つの場合は、図のｅ位置のように後方に仕切スクリーン２２を配置して撮影範囲２５（図示の斜線の領域）を広くするのが望ましい。このように、開口部２３の数が多くなるほど仕切スクリーン２２をカメラ６から遠くなるように配置するのが好適である。
【０１１４】
また、短冊形状の幕１枚の幅をあまり小さくしすぎると、頭がぶつかって、うまく横に並んで撮影できないため、短冊形状の幕１枚の幅すなわち、開口部２３同士の間隔は、おおむね人の頭の幅寸法以上に設定するのが好適である。
【０１１５】
図２３は、上記画像撮影装置に用いる仕切スクリーン２２の変形例である。いずれも、開口部２３は２つの例であるが、図２３（ａ）は、左右両端の短冊形状幕ａ，ｃの幅と、中央の短冊形状幕ｂの幅とが等しくなるよう設定されている。図２３（ｂ）は、左右両端の短冊形状幕ａ，ｃの幅よりも、中央の短冊形状幕ｂの幅が少し小さくなるように設定されている。
【０１１６】
図２３（ｂ）のように、３枚の短冊形状のうちａ，ｂ，ｃのうち真ん中短冊形状幕ｂの幅が他より小さくすることにより、２人並んで撮影する場合、クロマキーの精度を高めるためには、仕切スクリーン２２をピンと張って、カーテンにしわがないほうがよいが、図２３（ａ）のように同じ幅であると、左の被写体と右の被写体の間が広く開きすぎて友人やカップルで撮影する場合に親近感がないような撮影画像になってしまう。そこで、図２３（ｂ）のように、開口部２３と開口部２３の間隔を少し小さくすることにより、並んで撮影した場合も、２人の間隔がそれほど広くなく、くっついて撮影でき、仕切スクリーン２２のしわも少なくなって、合成精度が向上する。
【０１１７】
ここで、上記仕切スクリーン２２において、複数（以下の例示では３枚）の短冊形状幕の幅が同じサイズである方が、生産効率がよくなる。図２４は、３枚の短冊形状幕が同じ幅の場合、図２５は３枚の短冊形状幕が同じ幅でない場合の製造工程の状態を模式的に表した図である。
【０１１８】
上記仕切りスクリーン２２は、３枚の短冊形状幕の布地の上部を縫い合わせて作成している。複数枚の布地を同じ色に染める場合に、若干色ムラ（ばらつき）が発生してしまい、まったく同じ色に染めることが困難な場合がある。特に、クロマキーのような合成処理を行う場合に、色ムラは合成精度を低下させるものであり、できるだけ排除するのが望ましい。
【０１１９】
たとえば、図２４のように９枚の短冊形状幕を、Ａ２色に染めたくても、染めむらが生じると、すべてがＡ２色にならず、なかにはＡ１色やＡ３色に染まってしまうものも生じる。しかし、図２４のように３枚とも同じ幅サイズの短冊形状幕を組み合わせて１枚の仕切スクリーン２２を作る場合に、３枚のうちのどの位置（左、中、右）にどの短冊形状幕を縫い合わせてもよい。したがって、図示の例では、上段のＡ１色の短冊形状幕と中段のＡ１色の短冊形状幕と下段のＡ１色の短冊形状幕で１枚の仕切スクリーン２２を仕上げることが可能となる。このように、多少染色むらが生じても、できるだけ近似した色の短冊形状幕を３枚組み合わせることにより１枚の仕切スクリーン２２ができるのであり、布地が余ったり、さらに新しい布地を必要とすることがなく、効率がよい。
【０１２０】
他方、図２５のように３枚の短冊形状幕の幅が異なり（図では幅をＸ，Ｙ，Ｚは幅の異なる短冊形状幕である）、図２４と同様の染めむらが生じた場合に、Ａ２色に染まった短冊形状幕はＡ２ＹとＡ２Ｚしかなく、Ａ２Ｘがないので１枚の仕切りスクリーン２２を仕上げることができない、このため新たにＡ２Ｘという短冊形状幕を用意する必要がある。また、短冊形状幕を新たに用意する時に、Ｘ幅の布地がＡ２色で染まるという保証もない。この例ではＡ３の場合も同様にＡ３Ｙが不足し、新たにＡ３Ｙの短冊形状幕を用意する必要がある。つまり、９枚の布地からＡ１色に染まった１枚の仕切スクリーン２２しか仕上げることができず、Ａ３Ｘ１枚とＡ２Ｙ１枚が余ってしまい、新たにＡ２ＸとＡ３Ｙの２枚の布地が必要となってしまい、きわめて無駄が多い。
【０１２１】
以上のように、複数枚（この場合３枚）の短冊形状幕から１枚の仕切スクリーン２２を仕上げる場合に、短冊形状幕の幅が略同じであれば、無駄なく１枚の仕切スクリーン２２を仕上げることが可能になり、染色工程においても、それほど精度を求める必要もなく、コスト、製造時間的にも生産効率が高まるものである。上記仕切スクリーン２２は、短冊形状幕を複数枚縫い付けて作成する方法に限らず、１枚の素材に下端から切り込みをいれ、切り込み部分に重なる領域と略同一の形状の素材を縫い付けて作成する方法などであってもよく、特に限定しない。
【０１２２】
図２６〜図２８は、本発明のプリント用紙ユニットの実施の形態を示す。以下に説明する各プリント用紙ユニットは、図１〜図２５等に記載された画像撮影装置に供給され、プリンタ９で用いられて写真プリントを生成するためのプリント用紙ユニットである。
【０１２３】
図２６に示すプリント用紙ユニットは、ＩＣチップやＩＣカード等の記憶手段９２と、写真プリント供給装置のプリンタ９で使用されるプリント用紙９０とがセットとして写真プリント供給装置に供給されるものである。この例では、上記プリント用紙９０としてロール状のものを示している。上記記憶手段９２には、この記憶手段９２とセット供給されるプリント用紙９０における、供給対象である装置で印刷出力可能な写真プリントの枚数すなわちプリント供給可能枚数が記録されている。一方、写真プリント供給装置には、上記記憶手段９２に記憶された情報を読み取る読取手段９１が設けられている。
【０１２４】
そして、上記プリント用紙ユニットを写真プリント供給装置に使用する場合には、記憶手段９２を読取手段９１にセットするとともに、プリント用紙９０をプリンタ９に装填する。そして、上記読取手段９１で記憶手段９２のプリント供給可能枚数が読み取られ、プリンタ９ではセットで供給されたプリント用紙９０に印刷が行なわれて写真プリントの供給が行なわれるのであるが、このとき、上記読取手段９１でセット供給された記憶手段９２から読み取られたプリント供給可能枚数だけ印刷を行なって写真プリントを供給し、その後は次の記憶手段９２とプリント用紙９０が供給されるまではプリントの供給を停止するようになっている。
【０１２５】
上述のような動作を実現するためのシステム構成としては、図示していないが、読取手段９１からの読取データを、上記コンピュータ装置に設けた出力枚数制限部に供給し、出力枚数制限部では読み取られたプリント供給可能枚数だけ写真プリントを印刷すると、その後は次の記憶手段９２が供給されるまでプリントの出力を制限することにより行なわれる。なお、プリント供給可能枚数の残り枚数が所定枚数に達したら、つぎのプリント用紙を準備するようアラームを発することも可能である。こうすることにより、顧客を待たせることなく回転率の高い写真撮影装置の運営ができる。上記読取手段９１がプリンタ９内部に備わる場合は、プリンタ９内部で検出された情報を上記コンピュータ装置に送信し、制御し、プリンタ９外部に備わる場合は、コンピュータ装置で読取られ制御される。
【０１２６】
図２７に示すプリント用紙ユニットは、ＩＣチップやＩＣカード等の記憶手段９２を備えておらず、写真プリント供給装置のプリンタ９で使用されるプリント用紙９０が写真プリント供給装置に供給されるものである。この例では、上記プリント用紙９０としてロール状のものを示している。上記プリント用紙９０には、当該プリント用紙９０の真偽を識別する識別情報がバーコード等により付されている（図示せず）。そして、写真プリント供給装置には、プリンタ９に装填されたプリント用紙９０の識別情報を読み取る読取手段９１が設けられている。
【０１２７】
そして、上記プリント用紙ユニットを写真プリント供給装置に使用する場合には、プリント用紙９０をプリンタ９に装填する。そして、上記読取手段９１でプリント用紙９０の識別情報が読み取られ、その識別情報を、上記コンピュータ装置に設けた判定手段に供給し、判定手段では読み取られた識別情報が正しい場合にだけ写真プリントを印刷し、真正なものでない場合にはプリントの出力を行なわないようになっている。
【０１２８】
図２８に示すプリント用紙ユニットは、写真プリント供給装置のプリンタ９で使用されるプリント用紙９０と、上記プリント用紙９０に画像をプリントするインクリボン等の記録材料９３がセットの状態となって写真プリント供給装置に供給されるものである。この例では、上記プリント用紙９０としてロール状のものを示している。図において９４は印刷ヘッドである。上記記録材料９３には、当該記録材料９３の真偽を識別する識別情報がバーコード等により付されている（図示せず）。そして、写真プリント供給装置には、プリンタ９に装填された記録材料９３の識別情報を読み取る読取手段９１が設けられている。
【０１２９】
そして、上記プリント用紙ユニットを写真プリント供給装置に使用する場合には、プリント用紙９０および記録材料９３をプリンタ９に装填する。そして、上記読取手段９１で記録材料９３の識別情報が読み取られ、その識別情報を、上記コンピュータ装置に設けた判定手段に供給し、判定手段では読み取られた識別情報が正しい場合にだけ写真プリントを印刷し、真正なものでない場合にはプリントの出力を行なわないようになっている。
【０１３０】
この例において、バーコード等の識別情報を記録材料９３ではなくプリント用紙９０に付し、読取手段９１は、プリンタ９に装填されたプリント用紙９０の識別情報を読み取るようにしてもよい。また、図示した例は、プリンタ９が、記録材料としてインクリボンを使用する昇華型プリンタ等の例であるが、記録材料としてカートリッジ式のインクを使用したインクジェット方式等のプリンタに適用することもできる。
【０１３１】
これらのプリント用紙ユニットによれば、上記写真プリント供給装置固有の性能やよりすぐれた写真プリントの仕上り品質等にとって最適のプリント用紙９０であるか否かが、識別情報等によって判別することができるので、識別情報等の読み取り結果に応じて画像撮影装置を動作させないようにすることができ、利用者に対してよりすぐれた品質の写真プリントの提供ができる。また、用紙等の偽造品が市場に流出することを防ぐことができる。
【０１３２】
なお、上記各実施の形態では、１つの画像撮影装置にカメラ６，液晶タブレット（第２画像受付手段）１６，プリンタ９を備えたものを例示したが、このような形態に限定するものではなく、例えば、撮影用としてカメラ６と仕切スクリーン２２等を備えた筐体を準備し、この撮影用の筐体と別体につくられた筐体に液晶タブレット（第２画像受付手段）１６やプリンタ９を設け、複数の筐体で本発明を実現するような態様の装置とすることも可能であり、本発明はこのようなものも含む趣旨である。
【０１３３】
また、上記各実施の形態において、仕切スクリーン２２を光透過性を有する部材から形成することも可能である。このようにすることにより、仕切スクリーン２２の開口部２３以外の領域に覆われた被写体２の部分が、完全に仕切スクリーン２２に隠れるのではなく、透過して見えたり、おぼろげに見えたりして特殊な撮影効果を得ることができる。
【０１３４】
また、上記各実施の形態では、硬貨の投入により撮影を開始するようにしたが、これに限定するものではなく、紙幣，プリペイドカード，メダル，クレジットカード，キャッシュカード等、撮影の対価として支払いうるものであれば、各種の態様を含む趣旨である。また、これらは、単独で用いる場合だけでなく、組み合わせて用いる場合も含む趣旨である。さらに、硬貨等の対価を要求することなく撮影を行う場合も含む趣旨である。
【０１３５】
また、上記各実施の形態において、カメラ６としては、デジタルカメラを用いることもできるし、ビデオカメラを用いることもでき、撮影画像を電気信号に変換しうるものであれば特に限定するものではなく、各種のものを用いることができる。さらに、上記実施の形態では、１台のカメラ６を備えた例を示したが、これに限定するものではなく、複数台のカメラ６を備えるようにしても差し支えない。
【０１３６】
【発明の効果】
以上のように、本発明によれば、仕切スクリーンの開口部から被写体の身体の一部等を露出させた状態で、被写体の開口部から露出した部分を開口部や仕切スクリーンとともに撮影することにより、被写体の前景として仕切スクリーンや開口部が写り込む。そして、例えば開口部を窓のような形状にすることにより、窓から顔を覗かせたり半身を乗り出したりしたような画像を撮影でき、従来では不可能であった特殊な撮影結果を得ることができる。
また、上記画像撮影装置は、上記撮影画像と第２画像を合成して合成画像を生成する画像合成手段とをさらに備え、上記仕切スクリーンのカメラ側面に画像合成のために適当な着色が施されているため、被写体の前景として写り込んだ仕切スクリーンの部分に第２画像を合成することが容易にできるようになる。そして、例えば開口部を窓のような形状にすることにより、窓から顔を覗かせたり半身を乗り出したりしたような画像を撮影でき、前景として写り込んだ窓の周辺部分に中世の宮殿のような装飾画像を合成する等、従来では不可能であった特殊な画像を得ることができる。
【図面の簡単な説明】
【図１】本発明の画像撮影装置の一実施の形態を示す断面図である。
【図２】仕切スクリーンの第１例を示す図である。
【図３】仕切スクリーンの第２例を示す図である。
【図４】仕切スクリーンの第３例を示す図であり、（ａ）は正面図、（ｂ）は断面図である。
【図５】仕切スクリーンの第４例を示す図である。
【図６】仕切スクリーンの第５例を示す図であり、（ａ）は正面図、（ｂ）は断面図である。
【図７】本発明の画像撮影装置の第２の実施の形態および仕切スクリーンの第６例を示す図である。
【図８】本発明の画像撮影装置の第３の実施の形態を示す断面図である。
【図９】仕切スクリーンの第７例を示す図である。
【図１０】仕切スクリーンの第８例を示す図である。
【図１１】本発明の画像撮影装置の第４の実施の形態および仕切スクリーンの第９例を示す図である。
【図１２】本発明の画像撮影装置の第５の実施の形態および仕切スクリーンの第１０例を示す図である。
【図１３】上記第１０例の仕切スクリーンを示す図である。
【図１４】本発明の画像撮影装置の第６の実施の形態を示す図である。
【図１５】仕切スクリーンの第１１例を示す図である。
【図１６】上記画像撮影装置による撮影画像の一例を示す図である。
【図１７】上記撮影画像を用いた合成画像の一例を示す図である。
【図１８】上記画像撮影装置による撮影画像の一例を示す図である。
【図１９】上記画像撮影装置による撮影画像の一例を示す図である。
【図２０】仕切スクリーンの第１２例を示す図である。
【図２１】仕切スクリーンの第１３例を示す図である。
【図２２】上記画像撮影装置を上側から見た配置説明図である。
【図２３】仕切スクリーンの第１４例を示す図である。
【図２４】仕切スクリーンとしてのカーテンの製造方法を説明する図である。
【図２５】仕切スクリーンとしてのカーテンの製造方法を説明する図である。
【図２６】本発明のプリント用紙ユニットを説明する図である。
【図２７】本発明のプリント用紙ユニットを説明する図である。
【図２８】本発明のプリント用紙ユニットを説明する図である。
【図２９】従来例を示す断面図である。
【符号の説明】
Ａ　　カメラ側空間
Ｂ　　バック側空間
１　　筐体
２　　被写体（使用者）
３　　支柱
４　　ライト
５　　カーテン
６　　カメラ
７　　コンピュータ装置
８　　ディスプレイ
９　　プリンタ
１０　　透明板
１１　　コントローラ
１２　　タッチペン
１３　　送出口
１４　　プリント媒体
１５　　姿勢支持部材
１６　　液晶タブレット
１７　　ディスプレイ
１８　　コントローラ
１８ａ　コントローラ
１９　　前側照明
２０　　バック側照明
２１　　バックスクリーン
２２　　仕切スクリーン
２３　　開口部
２４　　巻上ケース
２５　　撮影範囲
２５ａ　撮影範囲
２５ｂ　撮影範囲
２５ｃ　撮影範囲
２６　　重錘
２７　　開口形状保持部材
２８　　支持部材
２９　　スピーカ
３０　　硬貨投入口
３１　　切れ目
３２　　カバー部材
３３　　着脱テープ
３４　　ゴム
３５　　カバースクリーン
３６　　巻上ケース
３７　　引き手
３８　　蓋部材
３９　　把手
４１　　カーテンレール
４２　　重ねしろ
４３　　縫い目ライン
４４　　係止部材
４５　　切り込み部
９０　　プリント用紙
９１　　読取手段
９２　　記憶手段
９３　　記録材料
９４　　印刷ヘッド
【図１】
2004048651.tif 000003
【図２】
2004048651.tif 000004
【図３】
2004048651.tif 000005
【図４】
2004048651.tif 000006
【図５】
2004048651.tif 000007
【図６】
2004048651.tif 000008
【図７】
2004048651.tif 000009
【図８】
2004048651.tif 000010
【図９】
2004048651.tif 000011
【図１０】
2004048651.tif 000012
【図１１】
2004048651.tif 000013
【図１２】
2004048651.tif 000014
【図１３】
2004048651.tif 000015
【図１４】
2004048651.tif 000016
【図１５】
2004048651.tif 000017
【図１６】
2004048651.tif 000018
【図１７】
2004048651.tif 000019
【図１８】
2004048651.tif 000020
【図１９】
2004048651.tif 000021
【図２０】
2004048651.tif 000022
【図２１】
2004048651.tif 000023
【図２２】
2004048651.tif 000024
【図２３】
2004048651.tif 000025
【図２４】
2004048651.tif 000026
【図２５】
2004048651.tif 000027
【図２６】
2004048651.tif 000028
【図２７】
2004048651.tif 000029
【図２８】
2004048651.tif 000030
【図２９】
2004048651.tif 000031
【手続補正書】
【提出日】平成15年6月4日(2003.6.4)
【手続補正２】
【補正対象書類名】明細書
【補正対象項目名】特許請求の範囲
【補正方法】変更
【補正の内容】
【特許請求の範囲】
【請求項１】
撮影領域に存在する被写体を撮影して撮影画像を生成するカメラと、撮影画像を被写体に対して表示するディスプレイと、撮影画像をプリント出力するプリンタとを備え、使用者を含む被写体を撮影してその撮影画像等をプリントする画像撮影装置であって、
上記撮影領域に存在する被写体とカメラとの間に、カメラの撮影範囲内に被写体を露出させることができる開口部が形成された画像合成のための仕切スクリーンが設けられ、
上記仕切スクリーンの開口部から露出された被写体の身体の一部を開口部や仕切スクリーンとともに撮影した撮影画像に被写体の前景として写り込んだ仕切スクリーンの部分に第２画像を合成して合成画像を生成する画像合成手段とをさらに備えたことを特徴とする画像撮影装置。
【請求項２】
上記撮影画像を表示して、使用者の操作による上記第２画像の入力を受け付ける第２画像受付手段を備える請求項１記載の画像撮影装置。
【請求項３】
上記仕切スクリーンよりも被写体側の被写体のバックとなる領域にバックスクリーンが設けられている請求項１または２記載の画像撮影装置。
【請求項４】
上記バックスクリーンに、仕切スクリーンのカメラ側面に施された着色とは異なる着色が施されている請求項３記載の画像撮影装置。
【請求項５】
カメラによる撮影時に被写体を照明する照明手段が、上記仕切スクリーンよりもカメラ側に配置されている請求項１〜４のいずれか一項に記載の画像撮影装置。
【請求項６】
上記カメラによる撮影動作の操作入力を行うコントローラーが、上記仕切スクリーンよりも被写体側に配置されている請求項１〜５のいずれか一項に記載の画像撮影装置。
【請求項７】
撮影操作等の案内情報を音声出力する音声出力装置が、上記仕切スクリーンよりも被写体側に配置されている請求項１〜６のいずれか一項に記載の画像撮影装置。
【請求項８】
上記仕切スクリーンが、カメラの撮影範囲をカバーする大きさに設定されている請求項１〜７のいずれか一項に記載の画像撮影装置。
【請求項９】
上記仕切スクリーンが複数種類備えられて使用者により変更可能になっている請求項１〜８のいずれか一項に記載の画像撮影装置。
【請求項１０】
上記仕切スクリーンに開口部が複数設けられている請求項１〜８のいずれか一項に記載の画像撮影装置。
【請求項１１】
カメラによる撮影範囲の切り替えにより撮影する開口部を変更可能になっている請求項１０記載の画像撮影装置。
【請求項１２】
上記仕切スクリーンの開口部を覆うカバー部材を備えている請求項１〜１１のいずれか一項に記載の画像撮影装置。
【請求項１３】
上記仕切スクリーンの前での撮影と後での撮影とが可能となっている請求項１２記載の画像撮影装置。
【請求項１４】
第２画像受付手段が、仕切スクリーンの前で撮影した撮影画像に対する第２画像の入力を受け付けるものと、仕切スクリーンの後で撮影した撮影画像に対する第２画像の入力を受け付けるものとの２つ設けられている請求項１３記載の画像撮影装置。
【請求項１５】
仕切スクリーンより被写体側の開口部近傍に、撮影の際に被写体が姿勢を支持するための姿勢支持部材が設けられている請求項１〜１４のいずれか一項に記載の画像撮影装置。
【請求項１６】
上記仕切スクリーンが伸縮可能な幕状部材から形成され、開口部が拡大縮小可能に構成されている請求項１〜１５のいずれか一項に記載の画像撮影装置。
【請求項１７】
上記仕切スクリーンは幕状部材から形成され、上記開口部が幕状部材の下端から上方に向かって延びる切れ込み状に形成されている請求項１〜１６のいずれか一項に記載の画像撮影装置。
【請求項１８】
上記切れ込み状の開口部の下側寄り部分を着脱可能に係止する係止部材が設けられている請求項１７記載の画像撮影装置。
【請求項１９】
上記切れ込み状の開口部は、隣り合う幕状部材が重なる領域を有している請求項１７または１８記載の画像撮影装置。
【請求項２０】
使用者を含む被写体を撮影してその撮影画像をプリントする画像プリント作成方法であって、撮影領域に存在する被写体に撮影させて撮影画像を生成する撮影ステップと、撮影画像を被写体に対して表示する画像表示ステップと、上記撮影画像をプリント出力するプリントステップとを備え、上記撮影ステップを、撮影領域に存在する被写体とカメラとの間にカメラの撮影範囲内に被写体を露出させることができる開口部が形成された仕切スクリーンを設けた状態で実行し、上記仕切スクリーンの開口部から露出された被写体の身体の一部を開口部や仕切スクリーンとともに撮影した撮影画像に被写体の前景として写り込んだ仕切スクリーンの部分に第２画像を合成して合成画像を生成することを特徴とする画像撮影方法。
【手続補正３】
【補正対象書類名】明細書
【補正対象項目名】０００１
【補正方法】変更
【補正の内容】
【０００１】
【発明の属する技術分野】
本発明は、ゲームセンター等に設置され、硬貨等の投入により使用者を撮影し、撮影画像をプリントして販売する写真自販機等に代表される画像撮影装置および方法に関するものである。


【手続補正４】
【補正対象書類名】明細書
【補正対象項目名】０００９
【補正方法】変更
【補正の内容】
【０００９】
本発明は、このような事情に鑑みなされたもので、被写体とカメラの間に開口部が形成された仕切スクリーンを設け、上記開口部から露出した被写体を撮影することにより特殊な撮影効果を得ることができる画像撮影装置および方法の提供を目的とする。


【手続補正５】
【補正対象書類名】明細書
【補正対象項目名】００１０
【補正方法】変更
【補正の内容】
【００１０】
【課題を解決するための手段】
上記の目的を達成するため、本発明の画像撮影装置は、撮影領域に存在する被写体を撮影して撮影画像を生成するカメラと、撮影画像を被写体に対して表示するディスプレイと、撮影画像をプリント出力するプリンタとを備え、使用者を含む被写体を撮影してその撮影画像等をプリントする画像撮影装置であって、
上記撮影領域に存在する被写体とカメラとの間に、カメラの撮影範囲内に被写体を露出させることができる開口部が形成された画像合成のための仕切スクリーンが設けられ、
上記仕切スクリーンの開口部から露出された被写体の身体の一部を開口部や仕切スクリーンとともに撮影した撮影画像に被写体の前景として写り込んだ仕切スクリーンの部分に第２画像を合成して合成画像を生成する画像合成手段とをさらに備えたことを要旨とする。


【手続補正６】
【補正対象書類名】明細書
【補正対象項目名】００１２
【補正方法】変更
【補正の内容】
【００１２】
また、上記画像撮影装置は、上記撮影画像と第２画像を合成して合成画像を生成する画像合成手段とをさらに備えるため、被写体の前景として写り込んだ仕切スクリーンの部分に第２画像を合成することが容易にできるようになる。そして、例えば開口部を窓のような形状にすることにより、窓から顔を覗かせたり半身を乗り出したりしたような画像を撮影でき、前景として写り込んだ窓の周辺部分に中世の宮殿のような装飾画像を合成する等、従来では不可能であった特殊な画像を得ることができる。


【手続補正７】
【補正対象書類名】明細書
【補正対象項目名】００２３
【補正方法】変更
【補正の内容】
【００２３】
本発明の画像撮影装置において、上記仕切スクリーンに開口部が複数設けられている場合や、それとともに、カメラによる撮影範囲の切り替えにより撮影する開口部を変更可能になっている場合には、例えば、開口形状が異なる開口部や、開口部周辺の色彩・模様等が異なる開口部を複数種類準備し、撮影する開口部を変更することにより、使用者の好みにあった異なる趣の撮影画像を容易に提供できるようになる。


【手続補正８】
【補正対象書類名】明細書
【補正対象項目名】００２４
【補正方法】変更
【補正の内容】
【００２４】
本発明の画像撮影装置において、上記仕切スクリーンに開口部が複数設けられている場合や、それとともに、使用しない開口部を覆うカバー部材を備えている場合には、例えば複数人で利用する際、各利用者（被写体）がそれぞれ開口部から顔を出して撮影を行うことができる。そして、使用しない開口部をカバー部材で覆うことにより不要な開口部を隠し、すっきりしたきれいな撮影画像を得ることができる。


【手続補正９】
【補正対象書類名】明細書
【補正対象項目名】００２６
【補正方法】変更
【補正の内容】
【００２６】
本発明の画像撮影装置において、上記仕切スクリーンの開口部を覆うカバー部材を備えている場合や、上記仕切スクリーンの前での撮影と後での撮影とが可能となっている場合には、開口部を利用した撮影を希望しないユーザのニーズにも応えることができる。この場合において、仕切スクリーンとカバー部材の両方に合成用着色を施すことにより、撮影画像上で消せるため、仕切スクリーンとカメラの間のカメラ側空間に被写体が入って仕切スクリーンをバックスクリーンのようにして撮影を行うことも可能になる。


【手続補正１０】
【補正対象書類名】明細書
【補正対象項目名】００３４
【補正方法】変更
【補正の内容】
【００３４】
本発明の画像撮影方法は、使用者を含む被写体を撮影してその撮影画像をプリントする画像プリント作成方法であって、撮影領域に存在する被写体に撮影させて撮影画像を生成する撮影ステップと、撮影画像を被写体に対して表示する画像表示ステップと、上記撮影画像をプリント出力するプリントステップとを備え、上記撮影ステップを、撮影領域に存在する被写体とカメラとの間にカメラの撮影範囲内に被写体を露出させることができる開口部が形成された仕切スクリーンを設けた状態で実行し、上記仕切スクリーンの開口部から露出された被写体の身体の一部を開口部や仕切スクリーンとともに撮影した撮影画像に被写体の前景として写り込んだ仕切スクリーンの部分に第２画像を合成して合成画像を生成することを要旨とする。


【手続補正１１】
【補正対象書類名】明細書
【補正対象項目名】００３５
【補正方法】変更
【補正の内容】
【００３５】
すなわち、上記撮影領域に存在する被写体とカメラとの間に、カメラの撮影範囲内に被写体を露出させることができる開口部が形成された仕切スクリーンが設けられている。このため、上記仕切スクリーンの開口部から被写体の身体の一部等を露出させた状態で、被写体の開口部から露出した部分を開口部や仕切スクリーンとともに撮影することにより、被写体の前景として仕切スクリーンや開口部が写り込む。そして、例えば開口部を窓のような形状にすることにより、窓から顔を覗かせたり半身を乗り出したりしたような画像を撮影でき、従来では不可能であった特殊な撮影結果を得ることができる。


【手続補正１２】
【補正対象書類名】明細書
【補正対象項目名】００３６
【補正方法】変更
【補正の内容】
【００３６】
また、上記画像撮影装置は、上記撮影画像と第２画像を合成して合成画像を生成する画像合成手段とをさらに備えているため、被写体の前景として写り込んだ仕切スクリーンの部分に第２画像を合成することが容易にできるようになる。


【手続補正１３】
【補正対象書類名】明細書
【補正対象項目名】００３７
【補正方法】変更
【補正の内容】
【００３７】
そして、例えば開口部を窓のような形状にすることにより、窓から顔を覗かせたり半身を乗り出したりしたような画像を撮影でき、前景として写り込んだ窓の周辺部分に中世の宮殿のような装飾画像を合成する等、従来では不可能であった特殊な画像を得ることができる。


【手続補正１４】
【補正対象書類名】明細書
【補正対象項目名】０１２２
【補正方法】変更
【補正の内容】
【０１２２】
図２６〜図２８は、本発明に用いるプリント用紙ユニットの実施の形態を示す。以下に説明する各プリント用紙ユニットは、図１〜図２５等に記載された画像撮影装置に供給され、プリンタ９で用いられて写真プリントを生成するためのプリント用紙ユニットである。


【手続補正１５】
【補正対象書類名】明細書
【補正対象項目名】０１３６
【補正方法】変更
【補正の内容】
【０１３６】
【発明の効果】
以上のように、本発明によれば、仕切スクリーンの開口部から被写体の身体の一部等を露出させた状態で、被写体の開口部から露出した部分を開口部や仕切スクリーンとともに撮影することにより、被写体の前景として仕切スクリーンや開口部が写り込む。そして、例えば開口部を窓のような形状にすることにより、窓から顔を覗かせたり半身を乗り出したりしたような画像を撮影でき、従来では不可能であった特殊な撮影結果を得ることができる。
また、上記画像撮影装置は、上記撮影画像と第２画像を合成して合成画像を生成する画像合成手段とをさらに備えているため、被写体の前景として写り込んだ仕切スクリーンの部分に第２画像を合成することが容易にできるようになる。そして、例えば開口部を窓のような形状にすることにより、窓から顔を覗かせたり半身を乗り出したりしたような画像を撮影でき、前景として写り込んだ窓の周辺部分に中世の宮殿のような装飾画像を合成する等、従来では不可能であった特殊な画像を得ることができる。


【手続補正１６】
【補正対象書類名】明細書
【補正対象項目名】図面の簡単な説明
【補正方法】変更
【補正の内容】
【図面の簡単な説明】
【図１】本発明の画像撮影装置の一実施の形態を示す断面図である。
【図２】仕切スクリーンの第１例を示す図である。
【図３】仕切スクリーンの第２例を示す図である。
【図４】仕切スクリーンの第３例を示す図であり、（ａ）は正面図、（ｂ）は断面図である。
【図５】仕切スクリーンの第４例を示す図である。
【図６】仕切スクリーンの第５例を示す図であり、（ａ）は正面図、（ｂ）は断面図である。
【図７】本発明の画像撮影装置の第２の実施の形態および仕切スクリーンの第６例を示す図である。
【図８】本発明の画像撮影装置の第３の実施の形態を示す断面図である。
【図９】仕切スクリーンの第７例を示す図である。
【図１０】仕切スクリーンの第８例を示す図である。
【図１１】本発明の画像撮影装置の第４の実施の形態および仕切スクリーンの第９例を示す図である。
【図１２】本発明の画像撮影装置の第５の実施の形態および仕切スクリーンの第１０例を示す図である。
【図１３】上記第１０例の仕切スクリーンを示す図である。
【図１４】本発明の画像撮影装置の第６の実施の形態を示す図である。
【図１５】仕切スクリーンの第１１例を示す図である。
【図１６】上記画像撮影装置による撮影画像の一例を示す図である。
【図１７】上記撮影画像を用いた合成画像の一例を示す図である。
【図１８】上記画像撮影装置による撮影画像の一例を示す図である。
【図１９】上記画像撮影装置による撮影画像の一例を示す図である。
【図２０】仕切スクリーンの第１２例を示す図である。
【図２１】仕切スクリーンの第１３例を示す図である。
【図２２】上記画像撮影装置を上側から見た配置説明図である。
【図２３】仕切スクリーンの第１４例を示す図である。
【図２４】仕切スクリーンとしてのカーテンの製造方法を説明する図である。
【図２５】仕切スクリーンとしてのカーテンの製造方法を説明する図である。
【図２６】本発明に用いるプリント用紙ユニットを説明する図である。
【図２７】本発明に用いるプリント用紙ユニットを説明する図である。
【図２８】本発明に用いるプリント用紙ユニットを説明する図である。
【図２９】従来例を示す断面図である。
【符号の説明】
Ａ　　カメラ側空間
Ｂ　　バック側空間
１　　筐体
２　　被写体（使用者）
３　　支柱
４　　ライト
５　　カーテン
６　　カメラ
７　　コンピュータ装置
８　　ディスプレイ
９　　プリンタ
１０　　透明板
１１　　コントローラ
１２　　タッチペン
１３　　送出口
１４　　プリント媒体
１５　　姿勢支持部材
１６　　液晶タブレット
１７　　ディスプレイ
１８　　コントローラ
１８ａ　コントローラ
１９　　前側照明
２０　　バック側照明
２１　　バックスクリーン
２２　　仕切スクリーン
２３　　開口部
２４　　巻上ケース
２５　　撮影範囲
２５ａ　撮影範囲
２５ｂ　撮影範囲
２５ｃ　撮影範囲
２６　　重錘
２７　　開口形状保持部材
２８　　支持部材
２９　　スピーカ
３０　　硬貨投入口
３１　　切れ目
３２　　カバー部材
３３　　着脱テープ
３４　　ゴム
３５　　カバースクリーン
３６　　巻上ケース
３７　　引き手
３８　　蓋部材
３９　　把手
４１　　カーテンレール
４２　　重ねしろ
４３　　縫い目ライン
４４　　係止部材
４５　　切り込み部
９０　　プリント用紙
９１　　読取手段
９２　　記憶手段
９３　　記録材料
９４　　印刷ヘッド